(57)【要約】【課題】  工事の適用範囲を広くでき、 構成を充分に簡略化することができる。【解決手段】  ステージ足場１は、鉛直姿勢に起立した一対の建枠５と、建枠５の上端５ａに装着され上下に移動可能な昇降建枠７と、建枠５同士を接続する水平方向に設けた側枠６と、昇降建枠７の上端に係止された床板４とから構成される枠ユニット２を備えている。複数の枠ユニット２は、第１連結ユニット３ａに備えた床板４を介して縦列方向Ｘに連結され、第２連結ユニット３ｂに備えた連結部材９と床板４とを介して横列方向Ｙに連結されている。【選択図】      図１
2006299536.tif 000002
【特許請求の範囲】
【請求項１】
建物の施工に際して床に設置される作業用の足場であって、
鉛直姿勢に起立した一対の建枠と、
前記建枠の上端に装着され、上下に移動可能な昇降建枠と、
前記建枠同士を接続する水平又は対角に設けた側枠と、
前記昇降建枠の上端に係止された床板と、
から構成される枠ユニットを備えていることを特徴とするステージ足場。
【請求項２】
複数の前記枠ユニットは、第１連結ユニットに備えた前記床板を介して連結されていることを特徴とする請求項１に記載のステージ足場。
【請求項３】
複数の前記枠ユニットは、第２連結ユニットに備えた連結部材と前記床板とを介して連結されていることを特徴とする請求項１に記載のステージ足場。
【請求項４】
前記建枠の下端に、前記床面を移動できるように移動手段を備えていることを特徴とする請求項１乃至３のいずれかに記載のステージ足場。
【請求項５】
前記建枠の上端に、前記建枠を継ぎ足して前記床板の高さを調整できるようにしたことを特徴とする請求項１乃至４のいずれかに記載のステージ足場。
【発明の詳細な説明】
【技術分野】
【０００１】
本発明は、建物の施工に際して設置される作業用のステージ足場に関する。
【背景技術】
【０００２】
従来、建築工事の天井工事や壁工事における設備、下地、仕上げの作業などでは、ステージ足場を設置して作業を行っているのが一般的である。
このようなステージ足場には、床上に立ち上げて組み立てする床上設置式と、ワイヤーロープなどを使用して上部又は側面から空中に吊り下げられて設置される吊り下げ式とがある。
床上設置式のステージ足場は、ユニットで構成され、床板の中央で半分に折りたたむことができ、組み立て容易なものが多く使用されている。そして、複数のユニットを前後左右に連結することで、作業に必要な範囲にステージ足場を形成することができる。また、１ユニットは、例えば、上面の床板が幅１．１ｍ、長さ１．８ｍ程度、高さが１．８５ｍ程度の大きさからなり、これを折りたたむことで、容易に運搬することができる。また、床板を支持する脚材の下端で上下に昇降可能な構成であり、作業高さに合わせてステージの高さを調整できる。
次に、吊り下げ式のステージ足場では、高所作業となる場合や、高さ方向の足場の移動範囲が大きい作業で使用される場合が多く、たとえば特許文献１や特許文献２に提案されている。
特許文献１では、上部よりワイヤーロープによってステージ足場が吊り下げられ、ウインチによって昇降可能な構成となっている。これは、建物のピットやエレベータ設置箇所などの狭い工事スペースにおいて、組立や解体を繰り返さずに高さ方向にステージの移動ができ、作業性を向上させたものである。
また、特許文献２では、橋桁の側面に足場を設置したもので、足場がこの側面から支持されることにより、空中に設置される吊り足場である。
【特許文献１】特開平６−１２９０８９号公報
【特許文献２】特開２００２−３６４１６９号公報
【発明の開示】
【発明が解決しようとする課題】
【０００３】
しかしながら、上述した折りたたみ可能な床上設置式のステージ足場では、折りたたむ機構として、床板の下面中央から両脚材の下端に向けて伸縮可能な可動部材が設けられ、さらに、ステージ設置時の折りたたみ防止としてロック機構が複数設けられている。このように、１ユニットを構成している部材や部品が多いため、組み立て及び収納時の操作が複雑であり、故障が多いという問題がある。その結果、折りたたむ時の操作を誤ることで、可動部材の可動部分に挟まれて怪我をするという懸念がある。
また、ステージの高さを調整する場合には、ユニットの片側を持ち上げて脚材の下端の昇降部を上下させる必要があり、重量があるため、人力による持ち上げでは作業能率が悪い。そして、この高さ調整はユニット単体で行う必要があり、とくに、複数のユニットが連結されて組み上がったステージ足場の高さ調整は困難であるのが現状である。さらに、高さの調整範囲は、この昇降部の上下可能な範囲に限定されてしまうため、ステージの高さに限界がある。
次に、特許文献１及び特許文献２で提案されている吊り下げ式のステージ足場では、高さ方向にスペースの余裕がある施工条件であれば有効であるが、吊り下げる程の高さがない場合や、施工範囲が水平方向に広い場合には不適である。よって、吊り下げ式のステージ足場を使用できる工事の適用範囲が限定され、汎用性が低いという問題がある。
【０００４】
本発明は、上述する問題点に鑑みてなされたもので、工事の適用範囲を広くでき、構成を充分に簡略化することができるステージ足場を提供することを目的とする。
【課題を解決するための手段】
【０００５】
上記目的を達成するため、本発明に係るステージ足場では、建物の施工に際して床に設置される作業用の足場であって、鉛直姿勢に起立した一対の建枠と、建枠の上端に装着され上下に移動可能な昇降建枠と、建枠同士を接続する水平又は対角に設けた側枠と、昇降建枠の上端に係止された床板とから構成される枠ユニットを備えていることを特徴としている。
本発明では、枠ユニットの構成部材が少なく、簡略化された構成となっているため、組み立てに複雑さがなく容易に短時間で組み立てることができる。このように、枠ユニットがコンパクトな構成であることで、作業スペースに応じて連結してステージ足場を設置することができる。さらに、枠ユニットを組み立てた状態で持ち運びができるため、狭い場所であっても容易に移動することができる。
また、床板の下部の空間は、周囲の建枠と側枠以外の部材がないため、資材等を置くスペースが確保され空間の有効利用が図れる。
さらに、枠ユニットの上端に上下に移動可能な昇降建枠を設けることによって、ステージ足場の高さを容易に調整することができる。そして、この高さ調整作業は、ステージ足場の上部ででき、この昇降建枠のみを上下移動させるだけの作業であるため、重量物を持ち上げるような作業を軽減することができる。
【０００６】
また、本発明に係るステージ足場では、複数の枠ユニットは、第１連結ユニットに備えた床板を介して連結されていることが好ましい。
本発明では、組み立てられたステージ足場は、枠ユニットが第１連結ユニットによって連結されるため、枠ユニット同士が隣り合わない配置となる。したがって、ステージ足場を構成する枠ユニットを少なく配置でき、第１連結ユニットには建枠や側枠などの部材がないので、ステージ足場全体としての部材数を削減でき、コストの低減を図ることができる。
また、第１連結ユニットの構成が簡易であることから、連結作業に時間がかからず容易にステージ足場を設置することができる。さらに、ステージ足場の移設時には、第１連結ユニットの床板を取り外し、枠ユニットを単体として移動することができる。
【０００７】
また、本発明に係るステージ足場では、複数の枠ユニットは、第２連結ユニットに備えた連結部材と床板とを介して連結されていることが好ましい。
本発明では、組み立てられたステージ足場は、枠ユニットが第２連結ユニットによって連結されるため、枠ユニット同士が隣り合わない配置となる。したがって、ステージ足場を構成する枠ユニットを少なく配置でき、第２連結ユニットには建枠や側枠などの部材がないので、ステージ足場全体としての部材数を削減でき、コストの低減を図ることができる。
また、第２連結ユニットの構成が簡易であることから、連結作業に時間がかからず容易にステージ足場を設置することができる。さらに、ステージ足場の移設時には、第２連結ユニットの連結部材や床板を取り外し、枠ユニットを単体として移動することができる。
【０００８】
また、本発明に係るステージ足場では、建枠の下端に、床面を移動できるように移動手段を備えていることが好ましい。
本発明では、枠ユニットを構成する建枠の下端に、例えばキャスターなどの移動手段を設けて走行させることによって、移動が容易になり、ステージ足場の移設作業を効率的に行うことができる。
【０００９】
また、本発明に係るステージ足場では、建枠の上端に、建枠を継ぎ足して床板の高さを調整できることが好ましい。
本発明では、建枠の上端に、順次、建枠を継ぎ足していくことで、工事の作業高さに適合したステージ足場の高さに設置することができる。このような構成から、ステージの高さの調整範囲が広く、高さに限定されることがなく工事の適用範囲を広くすることができる。
【発明の効果】
【００１０】
本発明のステージ足場によれば、枠ユニットの構成部材が少なく、簡略化された構成となっているため、組み立てに複雑さがなく容易に短時間で組み立てることができる。そして、このように枠ユニットがコンパクトな構成であることで、作業スペースに応じて連結してステージ足場を設置することができる。さらに、枠ユニットを組み立てた状態で持ち運びができるため、狭い場所であっても容易に移動することができる。
さらに、枠ユニットの上端に上下に移動可能な昇降建枠を設けることによって、ステージ足場の高さを容易に調整することができる。そして、この高さ調整作業は、ステージ足場の上部ででき、この昇降建枠のみを上下移動させるだけの作業であるため、重量物を持ち上げるような作業を軽減することができる。
【発明を実施するための最良の形態】
【００１１】
以下、本発明の実施の形態について、図１乃至及び図８に基づいて説明する。
図１は第１の実施の形態によるステージ足場の全体を示す斜視図、図２は図１に示す枠ユニットの拡大斜視図、図３は枠ユニットの建枠を示す側面図、図４は昇降建枠を示す側面図、図５は昇降建枠の設置状態を示す側面図、図６は側枠又は下枠を示す図、図７は連結部材を示す図、図８（ａ）は床板を示す平面図、図８（ｂ）は床板を示す側面図である。
【００１２】
図１乃至図８に示す本第１の実施の形態のステージ足場１は、例えば建築工事の天井工事や壁工事などを実施する場合の適用例であって、工事を施す作業面において効率的に作業ができるように所定の高さにステージ足場１を設置したものである。
図１に示すように、ステージ足場１は、鉛直方向に起立してなる枠部材を備えた枠ユニット２と、枠ユニット２同士を連結する連結ユニット３とから概略構成されている。
【００１３】
ここで、図１に示すように、枠ユニット２は平面視で略長方形をなし、この長手方向に連結される列の向きを縦列方向Ｘ、縦列方向Ｘに直交する方向に連結される列の向きを横列方向Ｙとして以下説明する。
【００１４】
図１に示すように、ステージ足場１を構成する枠ユニット２と連結ユニット３の配置では、枠ユニット２同士は、隣接して配置されることなく、連結ユニット３を介して連結されている。
そして、連結ユニット３は、床板４を備え枠ユニット２の縦列方向Ｘを連結する第１連結ユニット３ａと、管部材からなる連結部材９及び床板４を備え枠ユニット２の横列方向Ｙを連結する第２連結ユニット３ｂとからなる（図１参照）。
【００１５】
図２に示すように、枠ユニット２は、外形で略直方体を形成し、鉛直姿勢で対向する一対の建枠５、５と、この建枠５、５の間で水平方向に連結する側枠６、６と、建枠５の上端５ａに装着され上下に移動可能な昇降建枠７と、昇降建枠７の上端に係止された床板４とから構成されている。なお、枠ユニット２は、略直方体としているが、必ずしもこの形状に限定されることはない。
さらに、図１に示すように、枠ユニット２の下部には、側枠６と同形状をなす下枠８が床板４に対向して取り付けられている。これにより、枠ユニット２は、構造が強固となり安定性の向上が図れる。
【００１６】
図３に示すように、建枠５は、管などからなる縦材５ｂ及び横材５ｃを縦横に組み合わせて構成したものである。そして、建枠５の内側で側枠６と下枠８とを取り付ける第１接続部５ｄと、建枠５の外側で横列方向Ｙに連結部材９を連結させる連結部５ｅとを備えている（図１参照）。この第１接続部５ｄは、例えば一般的な足場材に使用されているブレースピンからなる。
また、図３に示すように、縦材５ｂの上方には、例えば縦材５ｂの断面内にピンが突出するように形成され、この断面内を出入可能とする係入部材５ｆが設けられている。そして、通常はこの断面内にピンが突出した状態で固定されている。
【００１７】
なお、図２に示すように、この建枠５の下端５ｇにはキャスターなどの移動手段（図示省略）が設けられていることが好ましく、この移動手段を設けることにより、ステージ足場１の移設時などに、枠ユニット２を持ち上げることなく走行させて移動することができる。
【００１８】
図２及び図４に示すように、昇降建枠７は、床板４の両短辺部４ａを載置させて取り付ける固定部をなす横架材７ａと、横架材７ａの両端に鉛直方向に固着された縦材７ｂとから構成されコの字状に組み合わされている。この縦材７ｂは、図４に示す所定位置Ｒより下部の外径が建枠５の縦材５ｂ（図３参照）の内側に挿入可能な縮径部７ｃを形成している。そして、この縮径部７ｃには、上下方向に所定間隔をもって複数の貫通孔７ｄが設けられている。
これにより、図４及び図５（ａ）、（ｂ）に示すように、昇降建枠７の縮径部７ｃを建枠５の縦材５ａ内に挿入して装着し、建枠５の係入部材５ｆ（図３参照）を任意の貫通孔７ｄに挿入して昇降建枠７の高さを固定する。このときに、係入部材５ｆを挿入する貫通孔７ｄの位置を変えることにより、昇降建枠７を上下方向（図５に示す矢印Ｚ）に移動して高さ調整することができる。
また、図４に示すように、横架材７ａの両端部には、連結部材９（図１参照）を連結するための連結部７ｅが設けられている。
【００１９】
ここで、枠ユニット２が連結されてステージ足場１が組み上がった状態において、昇降建枠７によって床板４の高さを調整する場合、ステージ足場１の建枠５の上部で作業ができ、床板４を外して昇降建枠７を上下に高さ調整することができる。
なお、昇降建枠７は、ステージ足場１の高さ調整を必要とする場合に用いればよく、例えば建枠５のみでステージ足場１の高さを固定する場合には、昇降建枠７は設けなくても構わない。
【００２０】
図１に示すように、下枠８は、縦列方向Ｘの枠ユニット２同士を下方で連結している。
ここで、図６（ａ）及び（ｂ）に示すように、側枠６と下枠８とは同形状の共通部材となるため、図中及び本文中では、部位を示す図番を側枠６に関してのみ記載して説明する。
側枠６は、横材６ａと縦材６ｂとが組み合わされて構成されている。この横材６ａの両端部には、建枠５の第１接続部５ｄ（図３参照）と接続可能な第２接続部６ｃが形成されている。
【００２１】
次に、図７（ａ）及び（ｂ）に示すように、第２連結ユニット３ｂ（図１参照）に備えられた連結部材９を第１連結部材９１とする。そして、第１連結部材９１の両端には、建材５の連結部５ｅに形成されているバネピン５ｈと嵌合するような係合部９１ａが形成されている。これにより、第１連結部材９１は、建枠５同士を連結させている。
また、第１連結部材９１の代わりに、図７（ｃ）及び（ｄ）に示すように、両端が側面視コの字型をなす係合部９２ａを形成した第２連結部材９２を使用してもよい。そして、連結部５ｅには、第２連結部材９２の連結方向に直交する方向にピン部材５ｉが備えられ、このピン部材５ｉの上方から、係合部９２ａを差し込むことで係合する。
なお、連結部５ｅ、第１及び第２連結部材９１、９２に形成された係合部９１ａ、９２ａの形状については、これらに限定されることはなく、両者が連結できる構造となっていればよい。
【００２２】
床板４は、図８（ａ）に示すように、その両短辺部４ａ、４ａが平面視で凹凸状に形成され、凸部が図８（ｂ）に示すような断面Ｌ型をなす固定部４ｂを形成している。そして、この固定部４ｂと床板４の端部４ｃとから形成される側面視コの字型の領域を昇降建枠７の横架材７ａに嵌合することによって、床板４が取り付けられている。
また、床板４は、図８（ａ）、（ｂ）に示すように、縦列方向Ｘの連結では、隣り合う夫々の床板４の固定部４ｂを含む凹凸部が互い違いに横架材７ａに嵌合することになる。
また、図１に示すように、第２連結ユニット３ｂ上の床板４は、昇降建枠７の連結部７ｅ（図４参照）に連結された上部連結部材９ｃに固定部４ｂが嵌合して取り付けられている。
【００２３】
図１に示すように、組みあがったステージ足場１の上部外周で、昇降建枠７の縦材７ｂの上端に手摺柱１０が嵌合して立設され、この手摺柱１０、１０間には水平方向に延設される手摺１１が設けられている。また、手摺１１の代わりに、例えば図１に示すようなロープ１２を設けてもよい。また、ステージ足場１の上に乗り降りできるように、梯子１３が備えられている。
【００２４】
図２に示すように、枠ユニット２の外形寸法は、例えば幅０．６ｍ×長さ１．２ｍ×高さ１．２ｍ程度のものであり、この枠ユニット２を構成する建枠５、側枠６、昇降建枠７、床板４などの寸法は作業現場に合わせて製作してもよい。とくに、建枠５の高さ寸法については、例えば、１．２ｍのほかに１．５ｍ、１．８ｍなど数種類の高さのものを用意しておくことで、作業条件の異なる現場にも十分対応することができる。
【００２５】
上述したように本第１の実施の形態によって組み合わされたステージ足場１は、枠ユニット２の構成部材が少なく、簡略化された構成となっているため、組み立てに複雑さがなく容易に短時間で組み立てることができる。
そして、枠ユニット２の外形寸法が、従来のユニット式の足場より同等以下の大きさでコンパクトであるため、枠ユニット２を組み立てた状態で持ち運びができ、狭い場所であっても容易に移動することができる。
また、枠ユニット２は周囲に建枠５や側枠６などが配置されているだけであり、床板４の下部の空間に資材等を置くスペースが確保され、空間の有効利用が図れる。
さらに、枠ユニット２の建枠５の上端５ａに、上下に移動可能な昇降建枠７を設けることによって、ステージ足場１の高さを容易に調整することができる。そして、この高さ調整作業は、建枠５より上部で行うことができ、この昇降建枠７のみを上下移動させるだけの作業であるため、重量物を持ち上げるような作業を軽減することができる。
【００２６】
組み立てられたステージ足場１は、二つの枠ユニット２が第１又は第２連結ユニット３ａ、３ｂによって縦列方向Ｘ及び横列方向Ｙに夫々連結されるため、縦列方向Ｘ及び横列方向Ｙの枠ユニット２同士が隣り合わない配置となる。したがって、ステージ足場１を構成する枠ユニット２を少なく配置でき、第１又は第２連結ユニット３ａ、３ｂには建枠５や側枠６などの部材を備えていないため、ステージ足場１全体としての部材数を削減でき、コストの低減を図ることができる。
また、第１及び第２連結ユニット３ａ、３ｂの構成が簡易であることから、連結作業に時間がかからず容易にステージ足場１を設置することができる。
さらに、ステージ足場１を移動する場合には、第１又は第２連結ユニット３ａ、３ｂの連結部材９や床板４などを取り外し、枠ユニット２を単体として移動することができる。
【００２７】
次に、第２の実施の形態について、図９に基づいて説明するが、上述の第１の実施の形態と同一又は同様な部材、部分には同一の符号を用いて説明を省略し、第１の実施の形態と異なる構成について説明する。
図９は、第２の実施の形態によるステージ足場の全体を示す斜視図である。
図９に示すように、第２の実施の形態では、枠ユニット２の側枠６がＸ形状に交差したブレース部材となっている。
そして、ステージ足場１の構造上取り除くことが可能な部材を省略したものであり、下枠８（図１参照）が設けられていない。また、第２連結ユニット３ｂの連結部材９を可能な限り少数とし、床板４の固定部４ｂを固定するために備えられた上部連結部材９ｃのみが設置されている。
上述した第２の実施の形態によるステージ足場では、第１の実施の形態によるものと同様の効果を奏する。
【００２８】
次に、第３の実施の形態について、図１０に基づいて説明するが、上述の第１の実施の形態と同一又は同様な部材、部分には同一の符号を用いて説明を省略し、第１の実施の形態と異なる構成について説明する。
図１０は、第３の実施の形態によるステージ足場の全体を示す斜視図である。
図１０に示すように、第３の実施の形態では、第２の実施の形態と同様に枠ユニット２の側枠６がＸ形状に交差したブレース部材となっている。そして、下枠８（図１参照）は設けられていない。
【００２９】
図１に示すように、縦列方向Ｘに配置されている枠ユニット２及び第１ユニット３ａの上端で、縦列方向Ｘをなす両端には上部連結部材９ｃが設けられている。そして、この上部連結部材９ｃは、昇降建枠７の横架材７ａと縦材７ｂとの交点で縦列方向Ｘに突出して設けられている連結部（図示省略）に、上部連結部材９ｃの係合部９１ａ、９２ａが係合して連結されている（図７参照）。
そして、図１０に示すように、横列方向Ｙに連結する第２連結ユニット３ｃの床板４は、その長手方向を横列方向Ｙに向けて配置され、上述した縦列方向Ｘに延設されている上部連結部材９ｃに床板４の固定部４ｂが嵌合して取り付けられている。
本第３の実施の形態では、横列方向Ｙの連結は床板４の連結のみである。そして、このような床板４の向きとすることにより、図１０に示すように、第２連結ユニット３ｃの設置範囲が、第１及び第２の実施の形態で配置した第２連結ユニット３ｂ（図１、図９参照）の２倍となり、ステージ足場１の部材数をさらに減少できスペースの有効活用を実現できる配置となる。
このように、第３の実施の形態によるステージ足場では、第１及び第２の実施の形態によるものと同様の効果に加えて、上述したようなスペースの有効利用を図ることができる。
【００３０】
以上、本発明によるステージ足場の第１乃至第３の実施の形態について説明したが、本発明は上記の実施形態に限定されるものではなく、その趣旨を逸脱しない範囲で適宜変更可能である。
例えば、第１及び第３の実施の形態では、枠ユニット２の建枠５の段数を１段としているが、必ずしも１段に限定されることはなく、１段目の建枠５の上端５ａに、順次、建枠５を継ぎ足してもよい。これにより、ステージ足場１を工事の作業高さに適合した高さに設置することができる。そして、このような構成であることから、ステージの高さの調整範囲が広く、高さに限定されることがなく工事の適用範囲を広くすることができる。
また、第１乃至第３の実施の形態による側枠６の種類、各部材の取り付けの組み合わせや設置の有無、さらに、第２連結ユニット３ｂにおける床板４の向きに関しては、必ずしも第１乃至第３の実施の形態によるものに限定されることはない。要は、施工条件や、ステージ足場１における構造の安定性などを考慮して、これらステージ足場１の各部材を最適な組み合わせとして設置できればよいのである。
【図面の簡単な説明】
【００３１】
【図１】本発明の第１の実施の形態によるステージ足場の全体を示す斜視図である。
【図２】図１に示す枠ユニットの拡大斜視図である。
【図３】枠ユニットの建枠を示す側面図である。
【図４】枠ユニットの昇降建枠を示す側面図である。
【図５】昇降建枠の設置状態を示す側面図であり、（ａ）は縦列方向の側面図、（ｂ）は横列方向の側面図である。
【図６】枠ユニットの側枠（下枠）を示す図であり、（ａ）はその側面図、（ｂ）はその平面図である。
【図７】連結部材を示す図であり、（ａ）は第１連結部材の平面図、（ｂ）は第１連結部材の側面図、（ｃ）、（ｄ）は変形例を示すものであり、（ｃ）はその第２連結部材の平面図、（ｄ）はその第２連結部材の側面図である。
【図８】（ａ）は床板を示す平面図、（ｂ）は床板を示す側面図である。
【図９】本発明の第２の実施の形態によるステージ足場の全体を示す斜視図である。
【図１０】本発明の第３の実施の形態によるステージ足場の全体を示す斜視図である。
【符号の説明】
【００３２】
１  ステージ足場
２  枠ユニット
３  連結ユニット
３ａ  第１連結ユニット
３ｂ  第２連結ユニット
４  床板
５  建枠
６  側枠
７  昇降建枠
８  下枠
９  連結部材
【図１】
2006299536.tif 000003
【図２】
2006299536.tif 000004
【図３】
2006299536.tif 000005
【図４】
2006299536.tif 000006
【図５】
2006299536.tif 000007
【図６】
2006299536.tif 000008
【図７】
2006299536.tif 000009
【図８】
2006299536.tif 000010
【図９】
2006299536.tif 000011
【図１０】
2006299536.tif 000012